(57)【特許請求の範囲】
【請求項１】
冷蔵庫(1) 等の庫口(2) の閉鎖時に庫口(2) 周縁部の外面に押し付けられて密着せしめられるスライド扉(3) の下端部の左右両側のうちの少なくとも一側に、扉下端部離れ防止用ローラ(7) が垂直軸(8) を中心に回転自在に取り付けられ、これに対応して庫口(2) 周縁部下端の同側に、扉(3) 側の離れ防止用ローラ(7) を庫口(2) 周縁部側に次第に近付けるように案内するローラ案内傾斜部を備えた扉揺動防止部材(10)が取り付けられている冷蔵庫等におけるスライド扉の密閉装置であって、扉揺動防止部材(10)が、ローラ案内傾斜部(12)と、これの扉閉方向側の端部に連なりかつ冷蔵庫等本体(1A)側に突出したローラ戻止め用凸部(13)と、これよりさらに冷蔵庫等本体(1A)側に突出したローラ停止用凸部(14)とを有するゴム弾性体(11)、およびこのゴム弾性体(11)を保持しかつゴム弾性体(11)と共に庫口(2) 周縁部の下端部に固定される垂直断面略コ形の硬質の保形用被覆部材(21)により構成され、ゴム弾性体(11)のローラ戻止め用凸部(13)とローラ停止用凸部(14)との間には、スライド扉(3) の閉鎖時に扉下端部離れ防止用ローラ(7) を当接保持しかつ冷蔵庫本体(1A)に対して平行なローラ保持壁(15)が設けられ、保形用被覆部材(21)は、前壁(22)の上下両側に水平壁(23)(24)が後方張出状に設けられ、両水平壁(23)(24)の左端部には左側壁(25)(25)が設けられ、上下水平壁(23)(24)の冷蔵庫本体(1A)側の縁部には、ゴム弾性体(11)のローラ案内傾斜部(12)に沿う傾斜縁部(23a)(24a)と、ローラ保持壁(15)に沿う対向縁部(23b)(24b)と、ローラ停止用凸部(14)に沿うように冷蔵庫本体(1A)側に突出した凸縁部(23c)(24c)とが設けられ、ゴム弾性体(11)のローラ案内傾斜部(12)とローラ戻止め用凸部(13)とローラ停止用凸部(14)とが、硬質の保形用被覆部材(21)の上下水平壁(23)(24)の傾斜縁部(23a)(24a)と対向縁部(23b)(24b)と凸縁部(23c)(24c)より外側に突出せしめられており、ローラ(7) の衝接のさいの衝撃をゴム弾性体(11)によって吸収するようになされていることを特徴とする、冷蔵庫等におけるスライド扉の密閉装置。
【発明の詳細な説明】
【０００１】
【発明の属する技術分野】
この発明は、例えば組立式大型プレハブ冷蔵庫、冷凍庫、保管庫あるいは保冷庫等（以下、冷蔵庫等という）におけるスライド扉の密閉装置に関するものである。
【０００２】
【従来の技術】
従来、例えば組立式大型プレハブ冷蔵庫に備えられたスライド扉は、その庫口の閉鎖時に庫内の冷気が漏れないように、庫口周縁部の外面に押し付けて密着せしめられる構造となっており、例えば、スライド扉下部に備えられたローラが、冷蔵庫の庫口周縁下端部に設けられた金属製の扉寄せガイド板により案内される構造のスライド扉の密閉装置が知られていた。
【０００３】
また従来、冷蔵庫の庫口周縁下端部に円錐形ローラよりなる扉寄せガイドが設けられて、この扉寄せガイドにより、スライド扉下部に備えられたローラが案内される構造のスライド扉の密閉装置が知られていた。
【０００４】
【発明が解決しようとする課題】
しかしながら、従来の前者のスライド扉の密閉装置では、スライド扉下部に備えられたローラが、冷蔵庫の庫口周縁下端部に設けられた金属製の扉寄せガイド板に当たるため、スライド扉を閉める際の衝撃で扉が跳ね返ったり、金属音がするという問題があった。また、扉下部側のローラが、金属製の扉寄せガイド板に当たることにより、ローラの摩耗（片減り）が激しく、条件の悪い場合には、ローラが外れてしまうという問題があった。
【０００５】
また従来の後者のスライド扉の密閉装置では、扉自重によりガスケット（パッキン）の圧縮量（密閉力）が変わってしまい、とくに扉が軽い場合には、ガスケットの圧縮ができず、密閉性が損なわれるおそれがあった。しかも扉を閉める際の衝撃を止める機構が無いため、扉を閉める際、扉が行き過ぎてしまうおそれがあるという問題があった。
【０００６】
また、従来のスライド扉の密閉装置においては、扉の左引きあるいは右引きのいわゆる勝手違いの冷蔵庫の仕様では、左右対称である（勝手違いの）別部品を製作して用いなければならず、従って組立てが非常に面倒であるし、かつ部品代が高くつくという問題があった。
【０００７】
この発明の目的は、上記の問題を解決し、スライド扉下部に備えられたローラをスムーズに回転し得て、ローラの摩耗（片減り）を確実に防止することができ、またスライド扉閉鎖時の衝撃を吸収して、扉の跳ね返りがなく、金属音の発生を防止することができ、かつ冷蔵庫等の密閉性を確実に保持し得、また扉閉鎖時に扉の行き過ぎがなく、さらに扉の左右引きの違いによる勝手違いの冷蔵庫等の仕様に対しても、共通の部品で対応することができて、部品代が非常に安くつく、冷蔵庫等におけるスライド扉の密閉装置を提供しようとするにある。
【０００８】
【課題を解決するための手段】
上記の目的を達成するために、この発明は、冷蔵庫等の庫口の閉鎖時に庫口周縁部の外面に押し付けられて密着せしめられるスライド扉の下端部の左右両側のうちの少なくとも一側に、扉下端部離れ防止用ローラが垂直軸を中心に回転自在に取り付けられ、これに対応して庫口周縁部下端の同側に、扉側の離れ防止用ローラを庫口周縁部側に次第に近付けるように案内するローラ案内傾斜部を備えた扉揺動防止部材が取り付けられている冷蔵庫等におけるスライド扉の密閉装置であって、扉揺動防止部材が、ローラ案内傾斜部と、これの扉閉方向側の端部に連なりかつ冷蔵庫等本体側に突出したローラ戻止め用凸部と、これよりさらに冷蔵庫等本体側に突出したローラ停止用凸部とを有するゴム弾性体、およびこのゴム弾性体を保持しかつゴム弾性体と共に庫口周縁部の下端部に固定される垂直断面略コ形の硬質の保形用被覆部材により構成され、ゴム弾性体のローラ戻止め用凸部とローラ停止用凸部との間には、スライド扉の閉鎖時に扉下端部離れ防止用ローラを当接保持しかつ冷蔵庫本体に対して平行なローラ保持壁が設けられ、保形用被覆部材は、前壁の上下両側に水平壁が後方張出状に設けられ、両水平壁の左端部には左側壁が設けられ、上下水平壁の冷蔵庫本体側の縁部には、ゴム弾性体のローラ案内傾斜部に沿う傾斜縁部と、ローラ保持壁に沿う対向縁部と、ローラ停止用凸部に沿うように冷蔵庫本体側に突出した凸縁部とが設けられ、ゴム弾性体のローラ案内傾斜部とローラ戻止め用凸部とローラ停止用凸部とが、硬質の保形用被覆部材の上下水平壁の傾斜縁部と対向縁部と凸縁部より外側に突出せしめられており、ローラの衝接のさいの衝撃をゴム弾性体によって吸収するようになされていることを特徴としている。
【０００９】
【発明の実施の形態】
つぎに、この発明の実施の形態を、図面を参照して説明する。
【００１０】
なお図面は、この発明のスライド扉の密閉装置を、組立式大型プレハブ冷蔵庫に適用した場合を示すものである。
【００１１】
この明細書において、前後、左右は図２を基準とし、前とは図２の下側、後とは同上側をいゝ、また左とは同図左側、右とは同右側をいうものとする。
【００１２】
図１〜図４は、この発明の第１実施形態を示すものである。
【００１３】
まず図１を参照すると、冷蔵庫(1) の庫口周縁部(1a)側の枠が、いわゆる三方枠となされ、冷蔵庫(1) の前壁には、庫口(2) 上縁部から右側にのびるレ―ル(20)が設けられている。スライド扉(3) は、冷蔵庫(1) の庫口(2) の閉鎖時に庫口周縁部(1a)の外面に押し付けられて密着せしめられるもので、上記レ―ル(20)に沿って左右にスライド自在に取り付けられている。スライド扉(3) の周縁部のうち上縁部および左右両側縁部の三方の縁部内側にガスケット(18)（図５に図示されているものを参照）が取り付けられ、同下縁部には二重の帯状シール材(17)（図３参照）が取り付けられている。
【００１４】
またスライド扉(3) の下端部の左右両側に、扉下端部離れ防止用ローラ(7) が垂直軸(8) を中心に回転自在に取り付けられている（右側ローラの図示略）。
【００１５】
一方、これらのローラ(7) に対応して、冷蔵庫(1) の庫口周縁部(1a)下端部の左側においてフロア(F) 上面に、取付板(4) およびボルト・ナットを介してこの発明による扉揺動防止部材(10)が取り付けられ、庫口周縁部(1a)下端部の右側においてフロア(F) 上面に、取付板(26)を介して扉下端部離れ防止用ローラ(27)が垂直軸(28)を中心に回転自在に取り付けられている。
【００１６】
つぎに、図２〜図４を参照すると、扉揺動防止部材(10)は、扉下端部離れ防止用ローラ(7) を庫口周縁部(1a)側に次第に近付くように案内する左方後向きに傾斜したローラ案内傾斜部(12)と、これの扉閉方向側（左方）の端部に連なりかつ冷蔵庫本体(1A)側に突出したローラ戻止め用凸部(13)と、これよりさらに冷蔵庫本体(1A)側に突出したローラ停止用凸部(14)とを有するウレタンゴム等よりなるゴム弾性体(11)、およびこのゴム弾性体(11)を保持しかつゴム弾性体(11)と共に庫口(2) 周縁部の下端部に固定される垂直断面略コ形の保形用被覆部材(21)により構成されている。ゴム弾性体(11)のローラ戻止め用凸部(13)とローラ停止用凸部(14)との間には、スライド扉(3) の閉鎖時に扉下端部離れ防止用ローラ(7) を当接保持しかつ冷蔵庫本体(1A)に対して平行なローラ保持壁(15)が設けられている。またゴム弾性体(11)は、中実のウレタンゴムよりなるもので、上下方向に貫通した一対のねじ挿通孔(16)(16)が設けられている。保形用被覆部材(21)はステンレス鋼あるいは合成樹脂などの硬質材よりなるものである。
【００１７】
この実施形態では、図２と図４に詳しく示すように、保形用被覆部材(21)は、長方形状の前壁(22)の上下両側に水平壁(23)(24)が後方張出状に設けられ、両水平壁(23)(24)の左端部には、前壁(22)の幅の二分の一の幅を有する左側壁(25)(25)が内側折曲状に設けられている。上下水平壁(23)(24)の冷蔵庫本体(1A)側の縁部には、ゴム弾性体(11)のローラ案内傾斜部(12)に沿う傾斜縁部(23a)(24a)と、ローラ保持壁(15)に沿いかつ冷蔵庫本体(1A)と平行な対向縁部(23b)(24b)と、ローラ停止用凸部(14)に沿うように冷蔵庫本体(1A)側に突出した凸縁部(23c)(24c)とが設けられている。
【００１８】
ゴム弾性体(11)のローラ案内傾斜部(12)とローラ戻止め用凸部(13)とローラ停止用凸部(14)とが、硬質の保形用被覆部材(21)の上下水平壁(23)(24)の傾斜縁部(23a)(24a)と対向縁部(23b)(24b)と凸縁部(23c)(24c)より数ｍｍ外側に飛び出しており、ローラ(7) の衝接のさいの衝撃をゴム弾性体(11)によって吸収するとともに、ローラ(7) との接触抵抗が硬質の保形用被覆部材(21)より大きく、ローラ(7) をゴム弾性体(11)によってスムーズに回転させることができる。
【００１９】
保形用被覆部材(21)の上下両水平壁(23)(24)には、ゴム弾性体(11)の一対のねじ挿通孔(16)(16)に対応するように、それぞれ一対のねじ孔(26)(26)が設けられている。この保形用被覆部材(21)のねじ孔(26)(26)は、ボルト(6)(6)をねじ込むさいのねじピッチに合わせられており、同時にタップを切るとともに、ボルト(6)(6)を保形用被覆部材(21)の上下両水平壁(23)(24)で利かせることができ、保形用被覆部材(21)がローラ(7) 衝接のさいの衝撃で変形することがない。
【００２０】
扉揺動防止部材(10)の取付板(4) は、上記ボルト(6)(6)を挿通する一対の貫通孔(5)(5)と、フロア(F) 上面への取り付けのさいに固定ボルト（図示略）を挿通する左右一対の長孔(9)(9)を有している。
【００２１】
なお、図３に示すように、スライド扉(3) は、硬質塩化ビニル樹脂製の方形枠とこれの前後両面に被せられた一対の金属製表面板との間に発泡ポリウレタン等の断熱材が充填せられたものである。このスライド扉(3) 下端部に取り付けられた扉下端部離れ防止用ローラ(7) の垂直軸(8) の上端部(8a)は雄ねじ部となされていて、スライド扉(3) の下壁（枠部材）(3a)を貫通して該下壁(3a)の内側に収められた板ナット(30)にねじ込まれている。下壁(3a)の下側においては垂直軸(8) の雄ねじ部(8a)に当て板(31)および固定用ダブルナット(32)が嵌め被せられている。
【００２２】
上記において、スライド扉(3) は、これの開状態から冷蔵庫(1) 前壁のレール(20)に沿って左方向に移動して、庫口(2) に至ると、扉(3) 下端部の離れ防止用ローラ(7) が、庫口周縁部(1a)下端部のフロア(F) 上面に取り付けられた扉揺動防止部材(10)に当たる。扉揺動防止部材(10)のゴム弾性体(11)のローラ案内傾斜部(12)とローラ戻止め用凸部(13)とローラ停止用凸部(14)とは、硬質の保形用被覆部材(21)の上下水平壁(23)(24)より数ｍｍ外側に飛び出しており、従ってローラ(7) の衝接のさいの衝撃をゴム弾性体(11)によって吸収するとともに、ローラ(7) との接触抵抗が硬質の保形用被覆部材(21)より大きく、ローラ(7) をゴム弾性体(11)によってスムーズに回転させることができる。このゴム弾性体(11)はウレタンゴム等よりなり、かつ硬度７０°程度を有するものが好ましい。
【００２３】
扉下端部離れ防止用ローラ(7) は、扉揺動防止部材(10)のゴム弾性体(11)のローラ案内傾斜壁(12)に沿って庫口周縁部(1a)側に次第に近付くように案内され、この結果、扉(3) は庫口周縁部(1a)側に引き寄せられる。
【００２４】
つぎに、スライド扉(3) 側の離れ防止用ローラ(7) は、ゴム弾性体(11)のローラ戻止め用凸部(13)に沿って一旦冷蔵庫本体(1A)側に押しやられ、この凸部(13)を越えたのち、冷蔵庫本体(1A)に対して平行なローラ保持壁(15)に至って当接する。このため、スライド扉(3) は庫口周縁部(1a)の外面にしっかりと押し付けられて密着せしめられ、スライド扉(3) は庫口周縁部(1a)より離れることがない。
【００２５】
こうしてスライド扉(3) が閉まって全閉位置までくると、扉下端部離れ防止用ローラ(7) はゴム弾性体(11)のゴムローラ停止用凸部(14)にぶつかり、該凸部(14)は戸当たりの役目を果たす。よって、スライド扉(3) が行き過ぎるようなことはなく、ローラ(7) および垂直軸(8) への衝撃をも緩和することができる。
【００２６】
スライド扉(3) が全閉位置にある状態では、ローラ(7) が、冷蔵庫本体(1A)に対して平行なゴム弾性体(11)のローラ保持壁(15)に垂直に当接している。このため、扉(3) が上に持ち上げられるような力は発生せず、扉(3) のサイズ、重量等に関係なく安定した密着を得ることができて、庫内の冷気が漏れるといったおそれがない。
【００２７】
上記のように、扉揺動防止部材(10)のゴム弾性体(11)のローラ案内傾斜部(12)とローラ戻止め用凸部(13)とローラ停止用凸部(14)とが、硬質の保形用被覆部材(21)の上下水平壁(23)(24)より数ｍｍ外側に飛び出しているため、扉下端部離れ防止用ローラ(7) は、ゴム弾性体(11)に接触してスムーズに回転し、従ってローラ(7) の摩耗（片減り）を確実に防止することができるとともに、ローラ(7) 内に回転性をあげるための部品（ベアリング等）を設ける必要がなく、部品代が安くつく。
【００２８】
しかもスライド扉(3) を閉める際の扉下端部離れ防止用ローラ(7) による衝撃力をゴム弾性体(11)によって吸収することができ、スライド扉(3) が衝撃で跳ね返ったり、金属音が生じたりするようなことがない。
【００２９】
またスライド扉(3) によるガスケット（パッキン）の圧縮量（密閉力）が充分に大きくかつ一定で、スライド扉(3) の全閉状態において、スライド扉(3) 内側のガスケット(18)を庫口周縁部の外面にしっかりと押し付けて密着せしめることができて、冷蔵庫(1) 内を密閉状態に確実に保持し得る。
【００３０】
スライド扉(3) 下端部の離れ防止用ローラ(7) が扉揺動防止部材(10)に当たるさい、強い衝撃が加わると、扉揺動防止部材(10)のゴム弾性体(11)はウレタンゴム等によりつくられているため変形するが、扉揺動防止部材(10)のゴム弾性体(11)と硬質の保形用被覆部材(21)とは一対のボルト(6)(6)により一体に結合されていること、保形用被覆部材(21)に左側壁(25)(25)が折曲げ状に設けられていて、これがゴム弾性体(11)の左側面を塞いでいることにより、ゴム弾性体(11)が保形用被覆部材(21)より抜け落ちるようなことがない。
【００３１】
また、保形用被覆部材(21)の上下両水平壁(23)(24)のねじ孔(26)(26)は、ボルト(6)(6)をねじ込むさいのねじピッチに合わせられており、同時にタップを切るとともに、ボルト(6)(6)を保形用被覆部材(21)の上下両水平壁(23)(24)で利かせることができ、保形用被覆部材(21)がローラ(7) 衝接のさいの衝撃で変形することがない。
【００３２】
スライド扉(3) が一旦閉められると、ローラ(7) の戻り方向への移動が、ゴム弾性体(11)の戻止め用凸部(13)によって阻止されることになり、このため例えば人手によってスライド扉(3) を開く方向に移動させない限り、内圧等の外的要因によってはスライド扉(3) は開く方向には戻らない。こうして、扉(3) が全閉位置にある場合、ゴム弾性体(11)の戻止め用凸部(13)が扉(3) の開き防止の役目を果たす。
【００３３】
また、スライド扉(3) の左右引きの違いによる勝手違いの冷蔵庫(1) の仕様に対しては、図示は省略したが、上記ウレタンゴム等よりなるゴム弾性体(11)および垂直断面略コ形の硬質の保形用被覆部材(21)により構成されている扉揺動防止部材(10)を、左右逆向きにかつ上下左右逆向きに配置して取り付けるだけで、同じ構造の共通の部品を使用することができ、従って部品代が非常に安くつく。
【００３４】
図５は、この発明の第２実施形態を示すものである。ここで、上記第１実施形態の場合と異なる点は、冷蔵庫(1) の庫口周縁部(1a)側の枠が、いわゆる四方枠となされていて、扉揺動防止部材(10)が、側面よりみて略Ｌ形の扉揺動防止部材取付片(33)により、冷蔵庫(1) の庫口周縁部(1a)の下側枠材(34)に取り付けられている点にある。
【００３５】
側面よりみて略Ｌ形の扉揺動防止部材取付片(33)は、垂直壁部(33a) と水平壁部(33b) とを備えており、その垂直壁部(33a) がボルト(35)およびナット(36)によって冷蔵庫(1) の庫口周縁部(1a)の下側枠材(34)に取り付けられ、かつその水平壁部(33b) の上面に、ゴム弾性体(11)および保形用被覆部材(21)よりなる扉揺動防止部材(10)がボルト(6)(6)によって取り付けられている。
【００３６】
なお、スライド扉(3) 下端部には、扉下端部離れ防止用ローラ(7) が若干内側にすなわち冷蔵庫本体(1A)側に取り付けられている。該ローラ(7) の垂直軸(8) はスライド扉(3) の下壁(3a)の下面に当接したローラ取付板(38)に設けられ、ローラ取付板(38)は、スライド扉(3) の下壁（枠部材）(3a)を貫通して板ナット(30)にねじ込まれたボルト(39)により該下壁(3a)に固定されている。また、スライド扉(3) の周縁部の内側に環状のガスケット(18)が取り付けられている。
【００３７】
この第２実施形態のその他の点は、上記第１実施形態の場合と同様であるので、図面において同一のものには同一の符号を付した。
【００３８】
なお、上記実施形態においては、この発明のスライド扉(3) の密閉装置を組立式大型プレハブ冷蔵庫に適用した場合を示したが、この発明は、その他、組立式大型プレハブ冷凍庫、保管庫、あるいは保冷庫等におけるスライド扉にも、全く同様に適用されるものである。
【００３９】
【発明の効果】
この発明は、上述のように、冷蔵庫等の庫口の閉鎖時に庫口周縁部の外面に押し付けられて密着せしめられるスライド扉の下端部の左右両側のうちの少なくとも一側に、扉下端部離れ防止用ローラが垂直軸を中心に回転自在に取り付けられ、これに対応して庫口周縁部下端の同側に、扉側の離れ防止用ローラを庫口周縁部側に次第に近付けるように案内するローラ案内傾斜部を備えた扉揺動防止部材が取り付けられている冷蔵庫等におけるスライド扉の密閉装置であって、扉揺動防止部材が、ローラ案内傾斜部と、これの扉閉方向側の端部に連なりかつ冷蔵庫等本体側に突出したローラ戻止め用凸部と、これよりさらに冷蔵庫等本体側に突出したローラ停止用凸部とを有するゴム弾性体、およびこのゴム弾性体を保持しかつゴム弾性体と共に庫口周縁部の下端部に固定される垂直断面略コ形の硬質の保形用被覆部材により構成され、ゴム弾性体のローラ戻止め用凸部とローラ停止用凸部との間には、スライド扉の閉鎖時に扉下端部離れ防止用ローラを当接保持しかつ冷蔵庫本体に対して平行なローラ保持壁が設けられ、保形用被覆部材は、前壁の上下両側に水平壁が後方張出状に設けられ、両水平壁の左端部には左側壁が設けられ、上下水平壁の冷蔵庫本体側の縁部には、ゴム弾性体のローラ案内傾斜部に沿う傾斜縁部と、ローラ保持壁に沿う対向縁部と、ローラ停止用凸部に沿うように冷蔵庫本体側に突出した凸縁部とが設けられ、ゴム弾性体のローラ案内傾斜部とローラ戻止め用凸部とローラ停止用凸部とが、硬質の保形用被覆部材の上下水平壁の傾斜縁部と対向縁部と凸縁部より外側に突出せしめられており、ローラの衝接のさいの衝撃をゴム弾性体によって吸収するようになされていることを特徴とするもので、この発明によれば、スライド扉下部に備えられたローラを、冷蔵庫等の庫口周縁下端部に設けられた扉揺動防止部材のゴム弾性体によりスムーズに回転させることができて、ローラの摩耗（片減り）を確実に防止することができるとともに、ローラ内に回転性をあげるための部品（ベアリング等）を必要とせず、部品コストが安くつく。
【００４０】
しかもスライド扉を閉める時の衝撃力をゴム弾性体によって吸収することができて、衝撃で扉が跳ね返ったり、金属音が生じたりすることもなく、また扉自重によるガスケット（パッキン）の圧縮量（密閉力）が充分に大きくかつ一定で、スライド扉の閉状態において、スライド扉内側のガスケットを庫口周縁部の外面にしっかりと押し付けて密着せしめることができて、冷蔵庫等内部を密閉状態に確実に保持し得る。また扉を閉める際、扉が行き過ぎるようなこともなく、さらに扉の左右引きの違いによる勝手違いの冷蔵庫等の仕様に対しても、共通の部品を使用することができて、部品代が非常に安くつくという効果を奏する。
【図面の簡単な説明】
【図１】本発明の第１実施形態を示す冷蔵庫の庫口部分の斜視図である。
【図２】本発明の密閉装置における扉揺動防止部材の拡大平面図である。
【図３】図１の庫口部分の要部拡大垂直断面図である。
【図４】図２の扉揺動防止部材の分解斜視図である。
【図５】本発明の第２実施形態を示す冷蔵庫の庫口部分の要部拡大断面図である。
【符号の説明】
１        冷蔵庫
１Ａ      冷蔵庫本体
２        庫口
３        スライド扉
７        扉下端部離れ防止用ローラ
８        垂直軸
１０      扉揺動防止部材
１１ ゴム弾性体
１２      ローラ案内傾斜部
１３      ローラ戻止め用凸部
１４      ローラ停止用凸部
２１      垂直断面略コ形の硬質の保形被覆部材
２２ 前壁
２３ 上水平壁
２３ａ 傾斜縁部
２３ｂ 対向縁部
２３ｃ 凸縁部
２４ 下水平壁
２４ａ 傾斜縁部
２４ｂ 対向縁部
２４ｃ 凸縁部
２５ 左側壁
【図１】
0003564600.tif 000002
【図２】
0003564600.tif 000003
【図３】
0003564600.tif 000004
【図４】
0003564600.tif 000005
【図５】
0003564600.tif 000006